(57)【要約】      （修正有）【課題】技術的、物理的および化学的に要求される十分な特性、ならびに要求される経済的な要因を最適に考慮した、保持体装置およびＣ字形異形材モジュール保持体用の結合アダプタを提供する。【解決手段】保持体装置１０００は、少なくとも１つの支柱１００１および支柱１００１に支持された垂木異形材３００と、２つの異形材フランジおよび両方の異形材フランジを結合する異形材ウェブを有していて、かつ該異形材ウェブに、固定手段を収容するための少なくとも１つの孔を有する、Ｃ字形異形材として形成された少なくとも１つのＣ字形異形材モジュール保持体２００と、結合アダプタ１００と、を有しており、このとき結合アダプタ１００は、結合延長部の少なくとも１つの孔を介して、固定手段を用いて、垂木異形材３００に固定可能であり、かつ中央ウェブの孔を介して、固定手段を用いてＣ字形異形材モジュール保持体２００に固定可能である。【選択図】図３
2018137978.tif 000002
【特許請求の範囲】
【請求項１】
ソーラモジュール用の保持体装置であって、
少なくとも１つの支柱および該支柱に支持された垂木異形材と、
２つの異形材フランジおよび両方の前記異形材フランジを結合する異形材ウェブを有していて、かつ該異形材ウェブに、固定手段を収容するための少なくとも１つの孔を有する、Ｃ字形異形材として形成された少なくとも１つのＣ字形異形材モジュール保持体と、
少なくとも１つの結合アダプタであって、少なくとも１つの孔を備えた中央ウェブと、該中央ウェブの側部においてそれぞれ互いに向かい合って位置するように配置された２つの脚とを有していて、該脚が、直角三角形として形成された各１つのベース体を有していて、該直角三角形の、斜辺ではない第１の辺が前記中央ウェブに固定されていて、かつ前記直角三角形の、斜辺ではない第２の辺において、前記ベース体が、固定手段を収容するための少なくとも１つの孔を備えた結合延長部に移行している、結合アダプタと、を有しており、
前記結合アダプタは、前記結合延長部の前記少なくとも１つの孔を介して、前記固定手段を用いて、前記垂木異形材に固定可能であり、かつ前記中央ウェブの前記孔を介して、前記固定手段を用いて前記Ｃ字形異形材モジュール保持体に固定可能である、
ソーラモジュール用の保持体装置。
【請求項２】
前記Ｃ字形異形材モジュール保持体の前記異形材ウェブに、少なくとも１つの孔対が配置されていて、かつ前記結合アダプタの前記中央ウェブに、円形孔と円弧形状の長孔とが配置されており、前記孔対の孔の間における間隔が、前記円形孔と前記円弧形状の長孔との間における間隔に相当している、請求項１記載の保持体装置。
【請求項３】
前記少なくとも１つの孔対は、前記Ｃ字形異形材モジュール保持体の中心軸線に対して鏡面対称に長手方向に配置された２つの長孔を有している、請求項２記載の保持体装置。
【請求項４】
前記Ｃ字形異形材モジュール保持体の前記異形材ウェブに、前記Ｃ字形異形材モジュール保持体の長手方向に延びる少なくとも１つの押込み成形部が配置されている、請求項１から３までのいずれか１項記載の保持体装置。
【請求項５】
前記異形材ウェブに、複数の鏡面対称の長孔対が、好ましくは均一な間隔をおいて配置されている、請求項１から４までのいずれか１項記載の保持体装置。
【請求項６】
少なくとも１つのばねアングルを有しており、該ばねアングルは、互いに対してほぼ直角に配置された２つのアングル脚を有していて、第１のアングル脚に、該アングル脚の平面から曲げ出された２つの接続板が形成されており、該接続板は、矢印先端の２つの羽根の形態で形成されていて、かつ前記Ｃ字形異形材モジュール保持体の前記異形材ウェブに、前記少なくとも１つのばねアングルを収容するための少なくとも１つの収容スリットが配置されている、請求項１から５までのいずれか１項記載の保持体装置。
【請求項７】
前記ばねアングルは、前記第１のアングル脚に、モジュール端部ホルダまたはモジュール中央ホルダの固定エレメントを収容するための孔を有しており、かつ当該保持体装置は、前記Ｃ字形異形材モジュール保持体にソーラモジュールを固定するための少なくとも１つのモジュール端部ホルダおよび／またはモジュール中央ホルダを有していて、該モジュール端部ホルダおよび／またはモジュール中央ホルダは、前記ばねアングルを介して前記Ｃ字形異形材モジュール保持体に固定されている、請求項６記載の保持体装置。
【請求項８】
前記ばねアングルの第２のアングル脚において、前記第１のアングル脚とは反対側の端部に、少なくとも１つのアース先端が配置されている、請求項６または７記載の保持体装置。
【請求項９】
前記結合アダプタは、前記中央ウェブにおいて前記第２の辺の高さに、前記中央ウェブの平面から９０°だけ曲げ出された接続板を有している、請求項１から８までのいずれか１項記載の保持体装置。
【請求項１０】
前記結合アダプタの前記接続板は、９０°だけ内方に向かって前記中央ウェブの平面から曲げ出されている、請求項９記載の保持体装置。
【請求項１１】
前記支柱、前記Ｃ字形異形材モジュール保持体、前記垂木異形材および／または前記結合アダプタは、予めコーティングされた鋼薄板から製造されている、請求項１から１０までのいずれか１項記載の保持体装置。
【請求項１２】
ロック歯列を備えた固定手段を有しており、前記ロック歯列は、前記固定手段の取付け時に、該ロック歯列が、それぞれの前記固定手段を介してアースに対する電位平衡を保証するのに役立つように形成されている、請求項１から１１までのいずれか１項記載の保持体装置。
【請求項１３】
前記ロック歯列は、ＲＩＰＰ歯列、ロック歯歯列またはコンロック歯列である、請求項１２記載の保持体装置。
【請求項１４】
Ｃ字形異形材モジュール保持体の結合アダプタであって、少なくとも１つの孔を備えた中央ウェブと、該中央ウェブの側部にそれぞれ互いに向かい合って位置するように配置された２つの脚とを有しており、該脚は、直角三角形として形成された各１つのベース体を有していて、該直角三角形の、斜辺ではない第１の辺が前記中央ウェブに固定されていて、かつ前記直角三角形の、斜辺ではない第２の辺において、前記ベース体は、固定手段を収容するための少なくとも１つの孔を備えた結合延長部に移行している、Ｃ字形異形材モジュール保持体の結合アダプタ。
【請求項１５】
当該結合アダプタは、前記中央ウェブにおいて前記第２の辺の高さに、前記中央ウェブの平面から９０°だけ曲げ出された接続板を有していて、かつ前記中央ウェブに円形孔および円弧形状の長孔を有している、請求項１４記載の、Ｃ字形異形材モジュール保持体の結合アダプタ。
【発明の詳細な説明】
【技術分野】
【０００１】
本発明は、ソーラモジュール用の保持体装置およびＣ字形異形材モジュール保持体を固定するための結合アダプタに関する。
【０００２】
ソーラモジュールを下部構造物に安定的に固定して、ソーラモジュールを、風や雪による荷重および天候の影響のようなすべての外的作用に耐えるようにし、かつソーラモジュールをその全耐用寿命にわたって太陽の位置に対する最適な方向付けで保持するために、ソーラモジュール用の保持体装置が使用される。さらにコストの理由からも、可能な限り僅かな材料を使用する保持体装置が望ましい。保持体装置はさらに、その都度与えられた現場形態へのソーラモジュールシステムの適合のために役立つ。
【０００３】
したがって本発明の課題は、技術的、物理的および化学的な要求される十分な特性、ならびに該当する市場区分において要求される経済的な要因といった、すべての観点における要求を最適に考慮した、保持体装置およびＣ字形異形材モジュール保持体用の結合アダプタを提供することである。
【０００４】
第１の態様によれば、本発明はソーラモジュール用の保持体装置に関しており、該保持体装置は、
少なくとも１つの支柱および該支柱に支持された垂木異形材と、
２つの異形材フランジおよび両方の異形材フランジを結合する異形材ウェブを有していて、かつ該異形材ウェブに、固定手段を収容するための少なくとも１つの孔を有する、Ｃ字形異形材として形成された少なくとも１つのＣ字形異形材モジュール保持体と、
少なくとも１つの結合アダプタであって、少なくとも１つの孔を備えた中央ウェブと、該中央ウェブの側部においてそれぞれ互いに向かい合って位置するように配置された２つの脚とを有していて、該脚が、直角三角形として形成された各１つのベース体を有していて、該直角三角形の、斜辺ではない第１の辺が中央ウェブに固定されていて、かつ直角三角形の、斜辺ではない第２の辺において、ベース体が、固定手段を収容するための少なくとも１つの孔を備えた結合延長部に移行している、結合アダプタと、を有しており、
結合アダプタは、結合延長部の少なくとも１つの孔を介して、固定手段を用いて、垂木異形材に固定可能であり、かつ中央ウェブの孔を介して、固定手段を用いてＣ字形異形材モジュール保持体に固定可能である。
【０００５】
本発明は、Ｃ字形異形材モジュール保持体は、ソーラモジュール用の保持体装置の分野において通常使用されるボックス形のモジュール保持体との比較において大幅に僅かな材料、ひいては重量を有していて、しかも同時に、開放した幾何学形状に基づいてねじれに対して抵抗力がない、という認識を出発点としている。さらに本発明の根底を成す認識は、このようなねじれは、本発明の第２の態様に係る結合アダプタを用いて阻止することができるということにある。本発明に係る結合アダプタは、少なくとも１つの孔を備えた中央ウェブと、該中央ウェブの側部にそれぞれ互いに向かい合って位置するように配置された２つの脚とを有しており、該脚は、直角三角形として形成された各１つのベース体を有していて、該直角三角形の、斜辺ではない第１の辺が中央ウェブに固定されていて、かつ直角三角形の、斜辺ではない第２の辺において、ベース体は、固定手段を収容するための少なくとも１つの孔を備えた結合延長部に移行している。特に、脚のベース体の三角形状と、結合アダプタを介して可能な、垂木異形材の両側における固定とは、このとき垂木異形材におけるＣ字形異形材モジュール保持体の最適化された支持のために役立つ。さらに保持体装置における結合アダプタの中央ウェブもまた、Ｃ字形異形材モジュール保持体の異形材ウェブを支持し、これによって取り付けられた状態においてＣ字形異形材の回動を阻止する。つまり本発明に係る保持体装置においては、本発明の第２の態様に係る結合アダプタの使用によって、Ｃ字形異形材モジュール保持体のねじれ負荷が最小になり、かつＣ字形異形材モジュール保持体のねじれ、つまり回動が発生しないことが保証される。Ｃ字形異形材というのは、横断面で見てＣ字形の横断面を有する異形材のことを意味している。
【０００６】
保持体装置の１実施形態において、結合アダプタは、結合延長部の少なくとも１つの孔を介して固定手段を用いて垂木異形材に固定されていて、かつ中央ウェブの孔を介して固定手段を用いてＣ字形異形材モジュール保持体に固定されており、これによって減じられた材料使用にもかかわらず、確実に結合されかつ安定した、しかしながら比較的軽い保持体装置のために役立つ。
【０００７】
保持体装置の好適な実施形態では、Ｃ字形異形材モジュール保持体の異形材ウェブに、少なくとも１つの孔対が配置されていて、かつ結合アダプタの中央ウェブに、円形孔と円弧形状の長孔とが配置されており、このとき孔対の孔の間における間隔が、円形孔と円弧形状の長孔との間における間隔に相当している。このように構成されていると、Ｃ字形異形材モジュール保持体における結合アダプタの固定を２点において行うことができ、かつこれによって、ねじりモーメントに基づく回動に対してＣ字形異形材モジュール保持体を比較的強く固定することができる。結合アダプタおよびＣ字形異形材モジュール保持体における孔対の組合せによってさらに、Ｃ字形異形材モジュール保持体を長手方向においても側方への傾斜においても調節できることが保証される。これによって、現場形態への保持体装置の容易な適合が可能であり、特に＋／−１５°の傾斜が調節可能である。
【０００８】
特に好ましくは、孔対は、Ｃ字形異形材モジュール保持体の中心軸線に対して鏡面対称に長手方向に配置された２つの孔を有している。鏡面対称の配置形態は、Ｃ字形異形材モジュール保持体と結合アダプタとの間における力伝達を均一化し、そしてこれによりねじれを回避するのに役立つ。好ましくは、孔は長孔である。長孔によって、製造誤差および取付け誤差に起因してシステム全体において生じる誤差を、好適に補償することができる。好ましくは、長孔は、両方の長孔の長手方向が、Ｃ字形異形材モジュール保持体の長手方向において延びるように配置されている。
【０００９】
Ｃ字形異形材モジュール保持体のＣ字形異形材が、Ｃ字形異形材モジュール保持体の中心軸線に対して鏡面対称に長手方向において形成されていると、均一な負荷およびねじれの回避のために全体として有利である。
【００１０】
１実施形態において、Ｃ字形異形材モジュール保持体の異形材ウェブに、Ｃ字形異形材モジュール保持体の長手方向に延びる少なくとも１つの押込み成形部が配置されている。このような押込み成形部は、Ｃ字形異形材を補強するのに役立つ。特に好ましくは、少なくとも１つの押込み成形部は、Ｃ字形異形材モジュール保持体の中心軸線に対して鏡面対称に配置されており、つまり押込み成形部がただ１つの場合には、押込み成形部はＣ字形異形材モジュール保持体において真ん中に配置されている。これによりＣ字形異形材の形状安定性は最適化される。
【００１１】
１実施形態において、異形材フランジは、それぞれ鏡面対称に配置された複数の長孔を有している。これらの長孔において、ソーラモジュールは直接固定することができる。
【００１２】
択一的に、ソーラモジュールはばねアングルを介して、特にモジュール端部ホルダまたはモジュール中央ホルダとの組合せにおいて、固定することができる。好ましくは、保持体装置の１実施形態は、少なくとも１つのばねアングルを有しており、このときばねアングルは、互いに対してほぼ直角に配置された２つのアングル脚を有していて、かつこのとき第１のアングル脚に、該アングル脚の平面から曲げ出された２つの接続板が形成されており、該接続板は、矢印先端の２つの羽根の形態で形成されていて、かつＣ字形異形材モジュール保持体の異形材ウェブに、少なくとも１つのばねアングルを収容するための少なくとも１つの収容スリットが配置されている。ばねアングルは、この実施形態では、安全性の理由から好ましくは鈍角に形成されていて接続板によって形成された矢印先端が、まず側部において収容スリット内に挿入されることができる。第１のアングル脚の平面から曲げ出された接続板は、このときに係止し、かつＣ字形異形材モジュール保持体の異形材ウェブに支持され、これにより接続板はばねアングルを固定する。好ましくは、ばねアングルは、第１のアングル脚に、モジュール端部ホルダまたはモジュール中央ホルダの固定エレメントを収容するための孔を有しており、かつ保持体装置は、Ｃ字形異形材モジュール保持体にソーラモジュールを固定するための少なくとも１つのモジュール端部ホルダおよび／またはモジュール中央ホルダを有していて、該モジュール端部ホルダおよび／またはモジュール中央ホルダは、ばねアングルを介してＣ字形異形材モジュール保持体に固定されている。スリット内へのばねアングルの導入後に、個々のモジュールは、Ｃ字形異形材モジュール保持体に載置され、かつそれぞれのモジュール端部ホルダまたはモジュール中央ホルダの固定手段の締付けによって、保持体装置において確実に固定されることができる。
【００１３】
好ましくは、ばねアングルの第２のアングル脚において、第１のアングル脚とは反対側の端部に、少なくとも１つのアース先端が配置されている。アース先端は、取り付けるべきソーラモジュールの、多くの場合アルミニウムから製造されたフレーム内に係合し、これにより保持体装置を介してソーラモジュールのアースを保証することができる。好ましくは、収容スリットは、少なくとも部分的にジグザグの内面を有している。さらにまた、取り付けられた状態におけるソーラモジュールのアースも保証される。
【００１４】
別の実施形態では、異形材ウェブに、複数の鏡面対称の長孔対が、好ましくは均一な間隔をおいて配置されている。複数の長孔対を配置することによって、全システムは、要求された所与性に対してフレキシブルに適合可能であり、このことは、保持体装置の支柱の間隔および数に関する。
【００１５】
さらに好ましくは、Ｃ字形異形材モジュール保持体の少なくとも１つの端部に、モジュール保持体結合体を固定するための、少なくとも２つの孔、好ましくは少なくとも２つの円形孔が、鏡面対称に配置されている。このようなモジュール保持体結合体は、好ましくはＣ字形異形材の形態で、特にＣ字形異形材モジュール保持体のＣ字形異形材と同様に形成されたＣ字形異形材の形態で形成されており、かつ固定手段を介して、孔において固定可能である。モジュール保持体結合体を介して、２つのＣ字形異形材モジュールを互いに固定すること、かつこれによって比較的長い保持体装置を提供することができる。Ｃ字形異形材として形成されたモジュール保持体結合体の構成によって、結合部の良好な耐荷重が得られ、Ｃ字形異形材モジュール保持体のＣ字形異形材の使用時に、Ｃ字形異形材モジュール保持体自体が有するのと同じ耐荷重を提供することが可能になる。
【００１６】
好ましくは、結合アダプタは、中央ウェブにおいて第２の辺の高さに、中央ウェブの平面から９０°だけ曲げ出された接続板を有している。この接続板を介して、結合アダプタは、保持体装置の取付け時に垂木異形材における取付けを簡単化することができ、ひいては比較的簡単に位置決めされ、かつまた垂木異形材において支持されることができる。特に好ましくは、結合アダプタの接続板は、９０°だけ内方に向かって中央ウェブの平面から曲げ出されている。この場合内方というのは、接続板が脚と中央ウェブとによって確定された空間内に進入することを意味する。
【００１７】
さらに好ましくは、それぞれの結合延長部に、固定手段を収容するための複数の長孔が配置されている。これによって、結合箇所に対して比較的高い耐荷重が要求されている場合には、複数の固定エレメントをそれぞれの側において使用することも可能になる。
【００１８】
結合アダプタは、好ましくは、中央ウェブの長手方向において中心軸線に対して鏡面対称に形成されている。またこのことは、Ｃ字形異形材モジュール保持体のねじれに対する比較的均一な支持および固定にも役立ち、かつＣ字形異形材モジュール保持体が２つの方向において取り付けられ得ることによって、Ｃ字形異形材モジュール保持体の対称的な構成と共働して、Ｃ字形異形材モジュール保持体の取付け時における比較的大きな自由度をも可能にする。
【００１９】
好ましくは、支柱、Ｃ字形異形材モジュール保持体、垂木異形材および／または結合アダプタのような、保持体装置の部分は、予めコーティングされた鋼薄板から製造されている。既にコーティングされた鋼薄板を使用することによって、後で行われる亜鉛メッキが省かれるので、部材の製造および供給の時間が大幅に短縮される。特に、亜鉛・アルミニウム・マグネシウムから成る合金、特に好ましくは、３.５％のアルミニウムと３％のマグネシウムとを含有する亜鉛から成る組成物による被覆が好ましい。このようなコーティングは、比較的薄い層厚さでも、汎用の亜鉛メッキ法に比べて高い耐食性を提供し、したがって、保持体装置の同時に高められた耐荷重において重量低減に役立つ。
【００２０】
保持体装置の静的特性に対して影響を及ぼす、支配的な風力負荷または天気の影響のような環境条件に応じて、保持体装置の個々の部材のために使用される、鋼薄板の材料厚さを適合させることができる。結合アダプタのための好適な材料厚さは、２.５ｍｍであり、かつＣ字形異形材モジュール保持体のためには、２.０または１.５ｍｍの材料厚さが好適である。
【００２１】
別の実施形態では、保持体装置は、ロック歯列を備えた固定手段を有しており、ロック歯列は、固定手段の取付け時に、該ロック歯列が、それぞれの固定手段を介してアースに対する電位平衡を保証するのに役立つように形成されている。このようなねじ結合によって、それぞれの固定手段の締付け時に、電流が妨げられずにソーラモジュールから地面に流出できること(アース)が保証されている。したがって、ＲＩＰＰ歯列、ロック歯歯列またはコンロック歯列であるロック歯列を備えた固定手段の使用が、特に好ましい。固定手段は、例えばねじ山を切るタッピングねじであってよい。しかしながらまた、特に電位平衡が望まれていない場合には、ブラインドリベットを使用することも可能である。
【００２２】
好適な実施形態では、本発明の第２の態様に係る結合アダプタは、中央ウェブにおいて第２の辺の高さに、中央ウェブの平面から９０°だけ曲げ出された接続板を有していて、かつ中央ウェブに円形孔および円弧形状の長孔を有している。好ましくは、結合アダプタはこのとき、中央ウェブの長手方向において中心軸線に対して鏡面対称に形成されている。
【００２３】
次に、添付の図面を参照しながら本発明のさらなる実施形態について記載する。
【図面の簡単な説明】
【００２４】
【図１】本発明の第２の態様に係る結合アダプタの１実施形態を概略的に示す図である。
【図２】本発明の第１の態様に係る保持体装置のＣ字形異形材モジュール保持体の１実施形態を概略的なアイソメトリック図法で示す図である。
【図３】本発明の第１の態様に係る保持体装置の１実施形態を概略的なアイソメトリック図法で示す図である。
【図４ａ】図３の保持体装置の細部を概略的なアイソメトリック図法で示す図である。
【図４ｂ】図３の保持体装置の細部を概略的なアイソメトリック図法で示す図である。
【図５】本発明の第１の態様に係る保持体装置の１実施形態のばねアングルを概略的に示す図である。
【図６】図６ａおよび図６ｂは、モジュール固定部の領域における保持体装置の細部を概略的なアイソメトリック図法で示す図である。
【００２５】
図１には、本発明の第２の態様に係る結合アダプタ１００が概略的なアイソメトリック図法で示されている。結合アダプタは、中央ウェブ１０１を有しており、この中央ウェブ１０１には、円弧形状の長孔１０２と円形孔１０３とが配置されている。このとき円形孔１０３および円弧形状の長孔１０２は、中央ウェブ１０１の長手方向における中心軸線を中心にして鏡面対称に配置されている。円形孔１０３は、本発明の第１の態様に係る保持体装置において、Ｃ字形異形材モジュール保持体のための回転中心として働き、これに対してＣ字形異形材モジュール保持体の傾斜は、円弧形状の長孔１０２を介して調整することができる。
【００２６】
さらに結合アダプタ１００は、それぞれ中央ウェブ１０１の側部に互いに向かい合って位置するように配置された２つの脚１０６，１０７を有しており、これらの脚１０６，１０７はそれぞれ、直角三角形として形成されたベース体１１６，１１７を有しており、直角三角形の、斜辺ではない第１の辺１２６，１２７は、中央ウェブ１０１に固定されていて、ベース体の、斜辺ではない第２の辺１３６，１３７において、ベース体は、固定手段を収容するためのそれぞれ３つの孔１０９を備えた結合延長部１０５，１０８に移行している。結合アダプタ１００は、鏡面対称に形成されている。ベース体の三角形状によって、脚には斜めに延びる辺が生じている。保持体装置の垂木異形材（Sparrenprofil）における結合アダプタの比較的簡単な位置決めのために、中央ウェブの真ん中には、側部の脚の間に接続板１０４が配置されており、この接続板１０４は、９０°の角度で内方に向かって曲げられている。結合アダプタ１００は、図示の実施形態では予めコーティングされた鋼薄板から製造されている。
【００２７】
図２には、本発明の第１の態様に係る保持体装置のＣ字形異形材モジュール保持体２００の１実施形態が、概略的なアイソメトリック図法で示されている。
【００２８】
Ｃ字形異形材モジュール保持体は、Ｃ字形異形材の形態で形成されており、このＣ字形異形材は、２つの異形材フランジ２１０，２２０と、両方の異形材フランジ２１０，２２０を結合する異形材ウェブ２３０とを有していて、さらに異形材ウェブ２３０に、固定手段を収容するための、対を成して配置された複数の孔２０２を有している。このときこれらの孔２０２は、Ｃ字形異形材モジュール保持体の中心軸線に対して鏡面対称に、長手方向に配置された長孔である。これらの長孔においてＣ字形異形材モジュール保持体は、第２の態様に係る結合アダプタに固定することができる。長孔は、現場所与性への保持体装置の改善された適合可能性に役立つ。Ｃ字形異形材は、長手方向においてＣ字形異形材モジュール保持体２００の中心軸線に対して鏡面対称に形成されている。Ｃ字形異形材モジュール保持体２００の異形材ウェブ２３０には、Ｃ字形異形材モジュール保持体の長手方向に延びる、補強のための押込み成形部２３１が真ん中に配置されている。Ｃ字形異形材モジュール保持体２００は、同様に予めコーティングされた鋼薄板から成っており、この鋼薄板は、要求される耐荷重に応じて、種々様々の最適に設計された材料厚さを有することができる。Ｃ字形異形材モジュール保持体２００の異形材フランジ２１０，２２０には、規則的な間隔をおいて長孔２０１が位置しており、これらの長孔２０１には、ソーラモジュールを直接ねじ固定することができる。
【００２９】
Ｃ字形異形材モジュール保持体２００のここに図示された端部２５０には、円形孔として形成された４つの孔２５５が鏡面対称に配置されている。これらの孔２５５を介して、Ｃ字形異形材モジュール保持体２００は、固定手段を介して孔２５５において固定可能であるモジュール保持体結合体を用いて、別のＣ字形異形材モジュール保持体に結合することができる。
【００３０】
図３には、本発明の第１の態様に係る保持体装置の１実施形態が、概略的なアイソメトリック図法で示されている。保持体装置１０００は、複数の支柱１００１と、これらの支柱１００１に支持された垂木異形材３００と、Ｃ字形異形材として形成されたＣ字形異形材モジュール保持体２００とを有しており、Ｃ字形異形材は、２つの異形材フランジおよび両方の異形材フランジを結合する異形材ウェブ、ならびに異形材ウェブに、固定手段を収容するための少なくとも１つの孔を有している。さらに保持体装置１０００は、結合アダプタ１００を有しており、これらの結合アダプタ１００はそれぞれ、少なくとも１つの孔を備えた中央ウェブと、それぞれ中央ウェブの側部において互いに向かい合って位置するように配置された２つの脚とを有しており、両方の脚は、それぞれ直角三角形として形成されたベース体を有しており、このベース体の、斜辺ではない第１の辺は、中央ウェブに固定されていて、ベース体の、斜辺ではない第２の辺において、ベース体は、固定手段を収容するための少なくとも１つの孔を備えた結合延長部に移行している。このとき結合アダプタ１００は、結合延長部の孔を介して、固定手段３０２を用いて垂木異形材３００に固定されており、かつ中央ウェブの孔を介して、固定手段３０１を用いてＣ字形異形材モジュール保持体２００に固定されており、このことは、後で参照する図４ａ，図４ｂに関連して詳しく記載される。２つのソーラモジュール６００が、モジュール中央ホルダ５００と、このモジュール中央ホルダ５００に固定されたばねアングル４００とを介して、それぞれのＣ字形異形材モジュール保持体２００に固定されており、このことは、後で参照する図６ａ，図６ｂに関連して詳しく記載される。
【００３１】
図４ａ，図４ｂには、垂木異形材３００における結合アダプタ１００のうちの１つと結合アダプタ１００におけるＣ字形異形材モジュール保持体２００との結合箇所における、図３の保持体装置１０００の細部が、概略的なアイソメトリック図法で示されている。このとき図４ａは正面図であり、これに対して図４ｂは対応する背面図である。
【００３２】
結合アダプタ１００は、固定手段３０２を介して、垂木異形材３００の両側において垂木異形材３００に固定されている。図示の実施形態では、ねじ山を切る２つのタッピングねじ３０２が使用されている。これらのねじは、適宜なロック歯列（Unterkopfverzahnung）を有しており、このロック歯列は締付け時に、この結合箇所においてアースに対する電位平衡を保証するために働く。このようなロック歯列のための例は、ＲＩＰＰ歯列（RIPPverzahnung）、ロック歯歯列（Sperrzahnverzahnung）またはコンロック歯列（Conlokverzahnung）である。結合アダプタ１００の中央ウェブ１０１には、図１における形態に似て、円形孔１０３および円弧形状の長孔１０２が配置されている。Ｃ字形異形材モジュール保持体２００は、異形材ウェブ２３０に複数の長孔２０２を有しており、これらの長孔２０２は孔対を形成している。このとき孔対の長孔２０２の間における間隔Ｂは、円形孔１０３と円弧形状の長孔１０２との間の間隔Ａに相当している。結合アダプタにおける孔対１０２／１０３とＣ字形異形材モジュール保持体における孔対２０２とは、Ｃ字形異形材モジュール保持体が長手方向および側方における傾斜において調節され得ることを保証する。これによって現場の延在状態（Gelaendeverlauf）への保持体装置の容易な適合が、＋／−１５°の傾斜をもって可能である。孔パターンの対称的かつ鏡像的な配置形態によって、Ｃ字形異形材モジュール保持体がどのような方向付けで結合アダプタにねじ結合されるかは問題ではなくなり、このことによって取付けが簡単になる。結合アダプタ１００にＣ字形異形材モジュール保持体２００を固定するために、図示の実施形態では、ねじ３０１およびナット４０１が固定手段として使用され、これらの固定手段は、適宜なロック歯列によって締付け時に、この結合箇所において同様にアースに対する電位平衡を保証するのに役立つ。結合アダプタ１００は保持体装置１０００において、Ｃ字形異形材モジュール保持体２００のねじれを防止するのに役立ち、かつこのようにして軽量ではあるが安定した保持体装置を可能にし、この保持体装置は、特に長孔２０２および円形孔１０３と円弧形状の長孔１０２とから成る孔対を介して、さらに簡単に現場所与性に適合可能である。
【００３３】
図５には、本発明の第１の態様に係る保持体装置の１実施形態のばねアングル４００が、概略的に示されている。このばねアングル４００は、互いに対してほぼ直角に配置された２つのアングル脚４０１，４０２を有している。第１のアングル脚４０１には、このアングル脚の平面から曲げ出された２つの接続板４１１，４１２が形成されており、これらの接続板４１１，４１２は、矢印先端の２つの羽根の形態で形成されている。ばねアングルの第２のアングル脚４０２には、第１のアングル脚とは反対側の端部に、２つのアース先端４２１，４２２が配置されている。これらのアース先端は、取り付けるべきソーラモジュールの、多くの場合アルミニウムから製造されたフレーム内に係合することができる。第１のアングル脚には、さらにここに図示された実施形態では、凹部内に、モジュール端部ホルダまたはモジュール中央ホルダの固定手段を収容するための孔４０５が配置されている。
【００３４】
図６ａ，図６ｂには、異なった視線方向から見た、モジュール固定部の領域における保持体装置の細部が、概略的に示されている。ばねアングル４００は、Ｃ字形異形材モジュール保持体２００の収容スリット２４０内に導入されていて、ばねアングル４００と、ばねアングル４００に固定手段５０１を用いて固定されているモジュール端部ホルダとを介して、フレームで取り囲まれたソーラモジュール６００が保持体装置に固定されている。収容スリット２４０は、部分的にジグザグの内面を有している。図６ｂにおいて明瞭に認識できるように、第１のアングル脚４０１の平面から曲げ出された接続板４１１，４１２は、収容スリット２４０内への導入後に係止し、Ｃ字形異形材モジュール保持体２００の異形材ウェブ２３０に支持されていて、接続板４１１，４１２が、Ｃ字形異形材モジュール保持体２００においてばねアングル４００をロックし、かつこのようにしてＣ字形異形材モジュール保持体２００におけるソーラモジュール６００の確実な固定を可能にするようになっている。
【図１】
2018137978.tif 000003
【図２】
2018137978.tif 000004
【図３】
2018137978.tif 000005
【図４ａ】
2018137978.tif 000006
【図４ｂ】
2018137978.tif 000007
【図５】
2018137978.tif 000008
【図６】
2018137978.tif 000009
【外国語明細書】
2018137978.tif 000010
2018137978.tif 000011
2018137978.tif 000012
2018137978.tif 000013
2018137978.tif 000014
2018137978.tif 000015
2018137978.tif 000016
2018137978.tif 000017
2018137978.tif 000018
2018137978.tif 000019
2018137978.tif 000020
2018137978.tif 000021
2018137978.tif 000022
2018137978.tif 000023
2018137978.tif 000024
2018137978.tif 000025
2018137978.tif 000026
2018137978.tif 000027
2018137978.tif 000028
2018137978.tif 000029
2018137978.tif 000030
2018137978.tif 000031